(57)【要約】【課題】  飯器での保温性がよく、菜器と並んだ携行状態でもそれに熱影響しにくいようにする。【解決手段】  断熱構造を持った飯器保温体１、飯器保温体１にその上部開口１ａから出し入れできるように収容される飯器本体３、飯器本体３の上部開口３ａを閉じる断熱構造を持った飯器蓋４、を備えた飯器１１と、断熱構造を持たない菜器１２とを組合せ携行に供する携帯用組容器であって、断熱構造を有して飯器１１の上部まわりを覆う保温覆い、または断熱構造を有して飯器１１の上面から飯器保温体である真空二重容器１の胴部真空域１ｄにまで達して被さり覆う保温キャップ５を組合せ備えて、上記の目的を達成する。【選択図】  図１
2006314515.tif 000002
【特許請求の範囲】
【請求項１】
断熱構造を持った飯器保温体、この飯器保温体にその上部開口から出し入れできるように収容される飯器本体、この飯器本体の上部開口を閉じる断熱構造を持った飯器蓋、を備えた飯器と、断熱構造を持たない菜器とを組合せ携行に供する携帯用組容器であって、断熱構造を有して飯器の上部まわりを覆う保温覆い、または断熱構造を有して飯器の上面から飯器保温体である真空二重容器の胴部真空域にまで達して被さり覆う保温キャップ、を組合せ備えたことを特徴とする携帯用組容器。
【請求項２】
飯器保温体は、飯器本体の上部外まわりを開口上に受載して吊り持ち、飯器本体の胴部および底部との間に断熱閉空間を形成している請求項１に記載の携帯用組容器。
【請求項３】
飯器蓋は、上下部材で形成する内部空間に断熱材を収容しており、飯器蓋の飯器本体の開口への嵌まり合い部に開口内周に密嵌するシール部材を備えている請求項１、２のいずれか１項に記載の携帯用組容器。
【請求項４】
飯器蓋と保温覆いまたは保温キャップとの間に断熱閉空間を形成している請求項１〜３のいずれか１項に記載の携帯用組容器。
【請求項５】
飯器および菜器を横に並べて収容して携行するポーチを備え、このポーチの蓋に一体に、またはポーチ内に設けた断熱構造を持った飯器囲いの蓋として、保温覆いまたは保温キャップを設けた請求項１〜４のいずれか１項に記載の携帯用組容器。
【発明の詳細な説明】
【技術分野】
【０００１】
本発明は、保温機能を持った飯器と保温機能を持たない菜器とを組み合わせて携行に供する携帯用組容器に関するものである。
【背景技術】
【０００２】
このような携帯用組容器はお昼の弁当などを携行するのに広く利用され、多くの場合外ケースやポーチに収容したものとして提供されている（例えば、特許文献１参照）。飯器はご飯をできるだけ炊きたての状態を保って美味しく食されるよう、特許文献１に記載のもののように金属製の真空二重容器などの断熱構造を持った容器に断熱蓋を施して用いられる。これに対して、菜器は保温機能を持っていると入れた菜類が品質低下や賞味低下をもたらしたり、場合により腐敗してしまうことがあるので、特許文献１に記載のもののように断熱構造を持たない樹脂製の容器と蓋が用いられる。また、ポーチも保温機能を持っていると菜器内の菜類を腐敗させてしまうおそれがあるので、特許文献１に記載のもののように断熱構造を持たない外ケースなどが用いられている。
【特許文献１】特開２００２−３６０３２７号公報
【発明の開示】
【発明が解決しようとする課題】
【０００３】
ところで、特許文献１に記載のような金属製の真空二重容器を用いた飯器それ自体の断熱性は優れている。しかし、保温不足の指摘が顧客から寄せられることがときとしてあり、保温面でなお満足されていないことがうかがえる。これにつき、本発明者は種々に実験をし検討を重ねているが、飯器の上に汁器、菜器を積み重ねてポーチやケースに収容するタイプに比べて、飯器と菜器とを横に並べてポーチやケースに収容するタイプでは保温性が低くなる傾向がある。これは、温かい汁物がなくご飯だけの少ない熱容量である上、真空二重容器である飯器の開口は断熱蓋で閉じるにしても、その上を覆う容器がなく熱は上に逃げやすいことと、真空二重容器の内筒から外筒への熱伝導は避けられないこととが加わって、保温性を低下させているものと思われる。また、保温性が低いことはその分外部に逃げた熱がポーチ内に篭ることを意味し、長い時間が経過すると、断熱構造を持たないで隣に位置する菜器内の菜類に影響して品質や賞味の低下、腐敗を招く。
【０００４】
本発明の目的は、飯器での保温性がよく、菜器と並んだ携行状態でもそれに熱影響しにくい携行用組容器を提供することにある。
【課題を解決するための手段】
【０００５】
上記のような目的を達成するために、本発明の携帯用組容器は、断熱構造を持った飯器保温体、この飯器保温体にその上部開口から出し入れできるように収容される飯器本体、この飯器本体の上部開口を閉じる断熱構造を持った飯器蓋、を備えた飯器と、断熱構造を持たない菜器とを組合せ携行に供する携帯用組容器であって、断熱構造を有して飯器の上部まわりを覆う保温覆い、または断熱構造を有して飯器の上面から飯器保温体である真空二重容器の胴部真空域にまで達して被さり覆う保温キャップ、を組合せ備えたことを主たる特徴としている。
【０００６】
このような構成では、飯器が断熱構造を持った飯器保温体とこの飯器保温体にその上部開口から出し入れされる飯器本体と、この飯器本体の上部開口を閉じる断熱構造を持った飯器蓋とで構成されるので、断熱構造を持った飯器保温体に嵩低く保温性および強度の高い金属製の真空二重容器を採用しても、ご飯を入れた飯器本体を収容するので飯器本体に樹脂製のものを採用してご飯の熱が真空二重容器の内筒に伝わりにくくし外部に逃げるのを抑制することができる。また、断熱構造を有した飯器蓋で飯器本体の開口を閉じて熱の上部への逃げを従来程度に抑えるのに併せ、これら飯器の上部まわりを保温覆いで覆うか、飯器の上面から真空二重容器の胴部真空域にまで達して保温キャップが被さるかすることにより、ご飯の熱が上部に逃げるのを抑えられる。
【０００７】
飯器保温体が、飯器本体の上部外まわりを開口上に受載して吊り持ち、飯器本体の胴部および底部との間に断熱閉空間を形成している、さらなる構成では、
飯器本体は、それにご飯を入れて飯器蓋で閉じ、飯器保温体の開口上に載置するように飯器保温体に収容するだけで、飯器本体まわりに飯器保温体への収容構造を利用した断熱閉空間が特別な部材などなしに形成されて飯器本体まわりでご飯の保温に有効に働くし、飯器保温体の上に出ている部分を把持して簡単に着脱できる。
【０００８】
飯器蓋が、上下部材で形成する内部空間に断熱材を収容しており、飯器蓋の飯器本体の開口への嵌まり合い部に開口内周に密嵌するシール部材を備えている、さらなる構成では、
飯器蓋は飯器本体の開口に嵌まり合って閉じ、飯器蓋の断熱域が飯器保温体がなす容器形の断熱域とで飯器本体の開口部を挟み込んで上方への熱の逃げをより防止しやすく飯器本体のご飯の収容域全体を断熱域で囲うので、ご飯の保温性をさらに高められる上、飯器本体の開口内周と飯器蓋の嵌まり合い部との間をシール部材でシールして飯器本体のご飯収容域の空気をご飯収容域近くに封じ込めて飯器本体の開口端近くまで対流して及ぶのを防止することによっても、ご飯の保温性を高められる。
【０００９】
飯器蓋と保温覆いまたは保温キャップとの間に断熱閉空間を形成している、さらなる構成では、
飯器蓋の外回りに、保温覆いまたは保温キャップに加え、さらにそれらの間に断熱閉空間が特別な部材なしに形成されて、飯器蓋の外回りでご飯の保温に有効に働く。
【００１０】
飯器および菜器を横に並べて収容して携行するポーチを備え、このポーチの蓋に一体に、またはポーチ内に設けた断熱構造を持った飯器囲いの蓋として、保温覆いまたは保温キャップを設けた、さらなる構成では、
飯器および菜器がポーチに収容して携行しやすくなる上、ポーチの蓋に一体に、またはポーチ内に設けた断熱構造を持った飯器囲いの蓋として、保温覆いまたは保温キャップを設けておけるので、単独の取り扱い部品が減少する。また、飯器囲いを設ける場合は、ご飯の保温性および飯器から菜器への熱影響の防止機能を高められる。
【００１１】
本発明のそれ以上の目的および特徴は、以下の詳細な説明および図面の記載によって明らかになる。本発明の各特徴はそれ自体単独で、あるいは可能な限り種々な組合せで複合して採用することができる。
【発明の効果】
【００１２】
本発明の携帯用組容器によれば、飯器保温体に嵩低く保温性および強度の高い金属製の真空二重容器を採用しても、樹脂などの飯器本体を採用して収容することでご飯の熱が真空二重容器の内筒に伝わり外筒を通じ外部に逃げるのを抑えられるし、飯器本体上方への逃げも、飯器蓋による断熱と、飯器の上部まわりを覆う保温覆いか、飯器の上面から飯器保温体の側周上部にまでに被さる保温キャップかによる断熱とにより抑えられるので、ご飯の保温機能が向上する。併せ、隣り合わせで携行される菜器内の菜類に熱が及びにくく品質、賞味、腐敗に影響するのを防止できる。
【発明を実施するための最良の形態】
【００１３】
以下、本発明の実施の形態に係る携帯用組容器について図１〜図１１を参照しながら説明し、本発明の理解に供する。しかし、以下の説明は本発明の具体例であって、特許請求の範囲の記載の内容を限定するものではない。
【００１４】
本実施の形態の携帯用組容器は、図１、図２に示すように、断熱構造を持った飯器保温体１、この飯器保温体１にその上部開口１ａから出し入れできるように収容される飯器本体３、この飯器本体３の上部開口３ａを閉じる断熱構造を持った飯器蓋４、を備えた飯器１１と、断熱構造を持たない幾つかの菜器１２とを組合せ携行に供するもので、さらに、断熱構造を有して飯器１１の上部まわりを覆う保温覆い、または図１、図２に示すような断熱構造を有して飯器１１の上面から飯器保温体である真空二重容器１の胴部真空域１ｄにまで達して、胴部真空域１ｄとの図１に示すようなかぶさり代Ｓをもって被さり覆う保温キャップ５、を組合せ備えたものとしてある。
【００１５】
これら飯器１１、菜器１２を携行に供するのに、通常、専用のポーチやケースなどが用いられる。本実施の形態では図１、図２に示すように飯器１１の横に２つの菜器１２を積み重ねて寄せ合わせる集合状態にて、図８、図９に示すようにやや横長な専用のポーチ１３に入れて一括に取り扱えるようにしている。これの携行は一般に、そのままで、あるいは手提げバッグや手提げかばん、リュックなどに入れて行われるが、その際、専用のポーチ１３やケースに代る入れ物や包み材を用いることもできる。しかし、これらに限られることはなく、場合により飯器や菜器をそのまま手提げバッグや手提げかばん、リュックなどに納めて携行されてもよい。
【００１６】
いずれにしても、本実施の形態では、上記のように、飯器１１が断熱構造を持った飯器保温体１とこの飯器保温体１にその上部開口１ａから出し入れされる飯器本体３と、この飯器本体３の上部開口３ａを閉じる断熱構造を持った飯器蓋４とで構成されるので、断熱構造を持った飯器保温体１として嵩低く保温性および強度の高い図１、図２に示すような金属製の真空二重容器を採用しても、ご飯を入れた飯器本体３を収容するので、ご飯の熱はこの飯器本体３を介してしか真空二重容器１に伝達されない。従って、飯器本体３に熱伝導性の低い、例えば樹脂製のものを採用してご飯の熱が真空二重容器１の内筒１ｂに伝わりにくくし、外筒１ｃを通じ外部に逃げるのを抑制することができる。また、断熱構造を有した飯器蓋４で飯器本体３の開口３ａを閉じて熱の上部への逃げを従来程度に抑えるのに併せ、これら飯器１１の上部まわりを保温覆いで覆うか、図１、図２に示すように飯器１１の上面から真空二重容器１の胴部真空域１ｄにまで達して保温キャップ５が被さるかして、ご飯の熱が飯器本体３上部と飯器蓋４とを通じ上部に逃げるのを抑えられる。
【００１７】
したがって、飯器保温体１として、嵩低く保温性および強度の高い金属製の真空二重容器１を採用しても、樹脂などの飯器本体３を採用して収容することでご飯の熱が真空二重容器１の内筒１ｂに伝わり外筒１ｃを通じ外部に逃げるのを抑えられるし、飯器本体３上方への逃げも、飯器蓋４による断熱と、飯器１１の上部まわりを覆う保温覆いか、飯器１１の上面から真空二重容器１の胴部真空域１ｄにまでに被さる保温キャップ５かによる断熱とにより抑えられるので、ご飯の保温機能が格段に向上するし、ご飯の保温性が高まった分だけ飯器１１からポーチ１３内に出て篭る熱量が微少となり、ポーチ１３内などで隣り合わせで携行される菜器１２内の菜類に熱が及びにくく長い時間携行するような場合でも腐敗は勿論、品質や賞味が低下するようなことを防止できる。
【００１８】
ここで、真空二重容器１はステンレス鋼製とすると、金属でありながら熱伝導性が低く、保温性を確保するのに好適であり、しかも、耐食性に優れる利点がある。しかし、樹脂容器内に発泡樹脂などの断熱材を収容し、あるいは発泡樹脂容器を飯器本体３として採用すると真空二重容器１のような内筒から外筒へ熱が逃げるようなことを回避した保温機能を発揮できる。飯器本体３は断熱構造を有したものとすることもできるが、嵩だかで耐久性の弱いものとなるので、上記のように優れた保温性能から一重の樹脂容器として十分である。飯器蓋４は金属製の真空二重構造としてもよいが、金属製の内外壁を通じて熱が逃げるのを回避するため、樹脂製の中空構造で内部に発泡樹脂などの断熱材６を内蔵した構造で断熱性を高めている。断熱材６を内蔵するため飯器蓋４は上部材４ａと下部材４ｂとを上下に嵌め合せて高周波溶着などして一体化し、あるいは無理嵌めなどして一体化したものとしている。
【００１９】
飯器保温体である真空二重容器１は、飯器本体３の上部外まわりを開口１ａ上に受載して吊り持ち、飯器本体３の胴部および底部との間に断熱閉空間１４を形成するようにしている。これにより、飯器本体３は、それにご飯を入れて飯器蓋４で閉じ、真空二重容器１の開口１ａ上に載置するように真空二重容器１に収容するだけで、飯器本体３まわりに真空二重容器１への収容構造を利用した断熱閉空間１４が特別な部材などなしに形成されて飯器本体３まわりでご飯の保温に有効に働くことになる。また、このような吊持ち構造上、飯器本体３はその真空二重容器１の上に出ている部分を把持して簡単に着脱できる。このような吊持ちのために真空二重容器１の開口１ａは内筒１ｂ、外筒１ｃの開口縁どうしを外筒１ｃ外面にストレートに続く単純形状にて溶接接合した嵩張らない形態として飯器本体３の幅狭な外向きフランジ３ｂを受載するようにしており、その上に載っている飯器蓋４のフランジ４ｃと共に両側から把持して、飯器本体３および飯器蓋４を一体に取り扱って間単に着脱できる。
【００２０】
飯器蓋４のフランジ４ｃは飯器蓋４の飯器本体３の開口３ａへの嵌め合わせ深さを規制するとともに、断熱閉空間１４を飯器本体３および飯器蓋４どうしの最外部で閉じるシール部１６をなしている。また、飯器蓋４の上面には円形な凹部４ｄ１の直径線上に把持部４ｄを形成しており、この把持部４ｄを把持することにより、飯器本体３に対し飯器蓋４を単独で簡単に着脱することもできる。しかも、飯器蓋４の凹部４ｄ１は飯器１１の上部に被さった保温キャップ５が飯器蓋４上に落ち着くことで塞がれ、飯器蓋４と保温キャップ５との間にも断熱閉空間１５を形成している。これにより、飯器蓋４の外回りに、保温キャップ５に加え、さらに特別な部材なしに形成された断熱閉空間１５が特別な部材なしに位置して飯器蓋４の外回りでご飯の保温に有効に働くので、ご飯の保温性がさらに高まる。
【００２１】
また、飯器蓋４は、飯器本体３の開口３ａとの嵌まり合いに遊びを持たせて着脱を容易にしながら、その遊びを上部材４ａの外周に一体成形した縦向きのリブ４ｅによって緩和し過度なぐらつきを防止している。また、上部材４ａと下部材４ｂとの間に挟み込んだシリコンゴムなどよりなるシール部材１７を設けて、そのリップ部が飯器本体３の開口３ａに密嵌され飯器蓋４の着脱に強い抵抗を及ぼすことなくシールするようにしている。これにより、飯器蓋４は飯器本体３の開口３ａに嵌まり合って閉じ、飯器蓋４の断熱域が真空二重容器１がなす容器形の断熱域、つまり真空域１ｄとで飯器本体３の開口３ａ部を挟み込んで上方への熱の逃げをより防止しやすく飯器本体３のご飯の収容域１８全体を断熱域で囲うので、ご飯の保温性をさらに高められる。しかも、飯器本体３の開口３ａ内周と飯器蓋４の嵌まり合い部との間をシール部材１７でシールして飯器本体３のご飯収容域１８の空気をご飯収容域１８近くに封じ込めて飯器本体３の開口端近くまで対流して及ぶのを防止することによっても、ご飯の保温性を高められる。
【００２２】
保温キャップ５はメラミン樹脂などの断熱材５ａの内面側をアルミニウムシート５ｂで覆い、外側をナイロン生地５ｃで覆った構造とし、断熱材５ａによる断熱に加え、アルミニウムシート５ｂによる熱反射によってご飯の保温性を高めやすく、しかも、ナイロン生地５ｃによって外観のよいものとしている。菜器１２は、樹脂製の菜器本体１２ａとこれに被さる菜器蓋１２ｂとからなり、菜器蓋１２ｂには二重の周壁１２ｃ間にシリコンゴムなどからなる中空のシール部材１９が嵌め込まれていて、菜器蓋１２ｂは菜器本体１２ａの開口端にシール部材１９が当接するように被せられ、外側の周壁１２ｃの各辺に樹脂ヒンジ部１２ｄを介し一体成形しているクリップ片１２ｅを菜器本体１２ａの外周に形成したフランジ１２ｆに弾性係合させることにより、シール部材１９を菜器本体１２ａの開口に押し当てるようにして菜器蓋１２ｂを閉じ状態にロックできるようにしている。これによって、菜器１２内から煮汁や調味液などが漏れ出るのを防止できる。
【００２３】
ポーチ１３は菜器１２を保温しないものであればどのような材料、形態、構造のものでもよいが、布製とすると取り扱いやすいし、柔らかくクッション性があって感触もよい。図８に示すポーチ１３はポーチ本体１３ａとポーチ蓋１３ｂとをファスナ２１により開閉できるように連結したものである。この形態ではファスナ２１の部分は通気性がよいので、ファスナ２１の位置を飯器１１の保温キャップ５の被さり部よりも下に位置するようにしている。これにより、ファスナ２１部分での通気によって飯器１１の上部での放熱が万一にも促進されるようなことを防止している。
【００２４】
図９に示すポーチ１３は、ポーチ本体１３ａの開口にポーチ蓋１３ｂが被さり代Ｔを有して嵌め合わせ、図示しない背部のヒンジ部で双方を開閉できるように連結し、ポーチ蓋１３ｂの前部の自由端部に設けた閉止片２４をポーチ本体１３ａに対し面ファスナ２２、２３で止めることにより閉じ状態を保てるようにしたもので、前記被さり代Ｔによってファスナのような通気による影響のない構造としている。
【００２５】
図３、図４に示すポーチ１３は前記保温キャップ５と同様な断熱構造の保温覆い３１が一体に設けられており、前記のような飯器１１および菜器１２をポーチ１３に収容して携行しやすくするのに、ポーチ１３に保温覆い３１を設けて飯器１１の上部での熱の逃げを抑えられるので、単独の取り扱い部品が減少するし、紛失することもない。しかも、ポーチ１３には図１、図２に示す単体の真空二重容器１などとは別の前記保温キャップ５と同様な断熱構造の飯器保温体３２をも設けてある。これを、図１、図２に示す真空二重容器１などに代わるものとして用いると、飯器１１側の飯器保温体である真空二重容器１を省略して独立部品をさらに減少し、しかも、同程度のご飯の保温機能を発揮できる。また、飯器１１側の飯器保温体である真空二重容器１と併用することで、単独の取り扱い部品を増加することなくご飯の保温性がさらに向上する。特に、図３に示す例では、保温覆い３１は飯器保温体３２にヒンジ部３３を介して一体となるように設けてある。ポーチ１３自体は矩形の横長タイプで、ポーチ本体１３ａの開口の背部にポーチ蓋１３ｂを一体に設けて、ポーチ本体１３ａの開口を図３に示す開き位置から図４に示すように前部側へ塞ぎ、折り返し部１３ｃをポーチ本体１３ａの前面上部へ面ファスナ３４、３５により止着して閉じ状態を保つようにしている。ポーチ本体１３ａの開口の左右には折り返し片１３ｄ、１３ｄを一体に設けて、それらに設けた連結具３６ａ、３７ａ付きの連結片３６、３７を連結具３６ａ、３７ａで連結することにより、図４に示すように手提げ部３８となるようにしている。また、飯器保温体３２のポーチ本体１３ａの中央側の口縁に切り欠き部３２ａを設けて飯器１１の着脱を容易にしながら、前記切り欠き３２ａを保温覆い３１の折曲片３１ａにより閉じて熱が逃げないようにしている。しかし、図１１に示すようにそれら切り欠き３２ａや折曲片３１ａの無い単純な形状として製作しやすくすることもできる。
【００２６】
図５、図６に示すポーチ１３は、前記保温キャップ５と同様な断熱構造の飯器保温体３２に保温キャップ３９をヒンジ部４１で連結して一体に設けてあり、図３、図４に示すポーチ１３と同様な保温機能を発揮する。しかし、ポーチ１３は矩形であるが、飯器保温体３２および保温キャップ３９に対して余裕のある深めの単なる袋形態をなし、余裕のある上部周辺を図５（ａ）、図６（ａ）に示す状態から図５（ｂ）、図６（ｂ）に示すように端辺方向に折りたたんだ長辺側折り返し部１３ｆ、１３ｆどうしを面ファスナ３４、３５で止着し、その後長辺方向に折りたたんだ端辺側折り返し部１３ｇ、１３ｇどうしをそれらに設けた連結片３６、３７を連結具３６ａ、３７ａにより連結することで、飯器１１および菜器１２を収容した閉じ状態に安定するようにしてあり、手提げ部３８にて持ち運べるようになる。なお、飯器保温体３２は図５に示すように飯器１１の熱は下方に逃げ難いのを利用して底部を省略した形態としてあり、これにより、余計な嵩張りや重量の増大がないようにしている。
【００２７】
図７（ａ）に示すポーチ１３は、図９に示すようなタイプのものとして、図７（ｂ）に示すようなメラミン樹脂、発泡樹脂などよりなる容器型とした断熱材５１ａの内面側をアルミニウムシート５１ｂで覆い、外側をナイロン生地５１ｃで覆った構造の飯器保温体５１を収容し、飯器１１を収納できるようにしてある。さらに、ポーチ蓋１３ｂの飯器保温体５１の開口に対応する範囲に断熱材５２を内蔵し、ポーチ蓋１３ｂをポーチ本体１３ａの開口に嵌め合わせたとき、飯器保温体５１の開口をポーチ蓋１３ｂの断熱材５２を内蔵した部分で塞ぎ、熱が上方に逃げるのを抑えられるようにしている。
【００２８】
図１０に示す菜器１２は、図１、図２に示す例の菜器蓋１２ｂに設けたクリップ片１２ｅに代えて、図１０（ａ）〜（ｃ）に示すように菜器本体１２ａのフランジ１２ｆにヒンジ部１２ｄを介して一体に設け、図１０（ａ）（ｃ）に示すように菜器蓋１２ｂの上面外周に形成した上向きの凸縁１２ｈに弾性係合させることにより、菜器蓋１２ｂを閉じ状態にロックできるようにしている。これによって、クリップ片１２ｅの図１０（ａ）（ｂ）に示すロック状態では、菜器本体１２ａからの立ち上がり形状にフランジ１２ｆ、ヒンジ部１２ｄ、クリップ片１２ｅ部へ向かう、図１０（ａ）に示すような斜め上向きの傾斜状態が得られ、この傾斜状態が菜器１２をポーチ１３に収納するときの引っ掛かりを無くすのに役立つ。ここで、凸縁１２ｈに係合したクリップ片１２ｅのフック部は、図１０（ｃ）に示すように菜器蓋１２ｂの四周に中央一箇所ずつに位置して大きく上向きに突出し、図１０（ａ）に示すように上に積んだ菜器１２を位置決めできる。
【産業上の利用可能性】
【００２９】
本発明は、いわゆる組合せ弁当箱に実用でき、ご飯を飯器で保温しやすく、菜器側への熱影響を抑えやすい。
【図面の簡単な説明】
【００３０】
【図１】本発明の実施の形態に係る携帯用組容器を示す断面図である。
【図２】図１の組容器の平面図である。
【図３】図１の組容器を収容して取り扱うポーチの１つの例を示す開いた状態の斜視図である。
【図４】図３のポーチを閉じた状態で示す斜視図である。
【図５】他のポーチの例を示す開いた状態の斜視図と閉じた状態の斜視図である。
【図６】図５のポーチを開いた状態で断面した斜視図、さらにそれに有した飯器保温体の保温キャップを開いて断面した斜視図である。
【図７】別のポーチの例を示す開いた状態での斜視図、およびそれに設けた飯器保温体の断面図である。
【図８】さらに今１つのポーチを示す閉じた状態の斜視図、および一部断面図である。
【図９】さらに別のポーチを示す閉じた状態の斜視図、および一部断面図である。
【図１０】別の例の菜器を示すポーチへの収納状態の一部断面図、クリップ片と菜器本体とのヒンジ部による連結部を示す断面図、および閉じた状態の斜視図である。
【図１１】図３に示すポーチの変形例を示す斜視図である。
【符号の説明】
【００３１】
１  飯器保温体、真空二重容器
１ａ  開口
１ｂ  内筒
１ｃ  外筒
１ｄ  真空域
３  飯器本体
３ａ  開口
３ｂ  フランジ
４  飯器蓋
４ｃ  フランジ
５、３９  保温キャップ
１１  飯器
１２  菜器
１３  ポーチ
１４、１５  断熱閉空間
３１  保温覆い
３２、５１  飯器保温体
【図１】
2006314515.tif 000003
【図２】
2006314515.tif 000004
【図３】
2006314515.tif 000005
【図４】
2006314515.tif 000006
【図５】
2006314515.tif 000007
【図６】
2006314515.tif 000008
【図７】
2006314515.tif 000009
【図８】
2006314515.tif 000010
【図９】
2006314515.tif 000011
【図１０】
2006314515.tif 000012
【図１１】
2006314515.tif 000013